(57)【特許請求の範囲】
【請求項１】
刺繍内枠と刺繍外枠で刺繍布を保持するための刺繍枠であって、
前記刺繍外枠は前記刺繍内枠との間で刺繍布を張設するための枠部と、
該枠部と一体でミシンの刺繍枠駆動手段に連結されたキャリッジに装着するための取り付け部とを備え、
該取り付け部には前記キャリッジに設けた穴部に係合して位置決めするための一対のガイドピンと、
前記キャリッジの溝部に係合して、ばねの押圧力によりキャリッジに刺繍外枠を固定するための枠固定ピンとを備え、
該取り付け部は、前記ガイドピンを前記刺繍外枠の下面より突出しないように上方に移動可能に装着していることを特徴とする刺繍枠。
【請求項２】
前記ガイドピンは常には前記ガイドピンに遊嵌しているバネの押圧により、前記刺繍外枠の下面より下方に突出していることを特徴とする、請求項１に記載の刺繍枠。
【発明の詳細な説明】
【０００１】
【発明が属する技術分野】
本発明は、針の上下動に調時して布を張設した刺繍枠をＸ方向とＹ方向とに駆動して刺繍模様を形成するようにした刺繍ミシンの刺繍枠に関するものである。
【０００２】
【従来の技術】
従来の刺繍枠では、刺繍ミシンのキャリッジに取り付けるための取り付け部と、布を張るための枠部を備えた外枠と、該外枠との間で布を張るための内枠とにより、刺繍枠を構成していた。この刺繍枠をキャリッジへ簡単な操作で取り付けられるようにする技術については、本願出願人による、実開平６−１２４９６号で提案し、実用に供されている。
そのキャリッジの取り付け部の断面は図６に示す如くであり、刺繍枠外枠１１には、キャリッジに設けた穴部に係合して位置決めするための一対のガイドピン１２と、キャリッジの溝部に係合して、ばね１３ａの押圧力により、キャリッジに刺繍外枠１１を固定するための枠固定ピン１３が装着されている。該枠固定ピン１３及び一対のガイドピン１２はキャリッジの穴部及び溝部に係合するため、刺繍外枠の下面１１ｃより下方に突出している。１６は取り付けツマミであって、枠固定ピン１３の上端に装着されている。１９は枠固定ばねであって、枠固定ピン１３に遊嵌しており、常には枠固定ピン１３を上方に付勢している。枠固定ピン１３の下端は取り付け部１１の下面１１ｃから突出している。
【０００３】
そして、刺繍外枠に刺繍布を配置し、その上方から刺繍内枠を配置して、刺繍外枠と刺繍内枠とで刺繍布を挟持する。このため、刺繍外枠１１は、平らな作業領域に配置して、作業を行うことが望ましいが、前記の枠固定ピン１３及び一対のガイドピン１２が刺繍外枠の下面１１ｃより下方に突出しているため、刺繍外枠の下面が傾いてしまうこととなり、安定性が悪いこと、また枠固定ピン１３及び一対のガイドピン１２が作業面を傷付けるなどの問題があった。このため、作業台の端などで、枠固定ピン１３及び一対のガイドピン１２を作業台から外した位置で刺繍布の装着を行わなければならないなどの欠点があった。
【０００４】
そして、これは大きな布に対し、刺繍する場所を調節して取り付ける場合などのように、広い作業台の中央部で自由に位置合わせを行うことに対して障害となる。
【０００５】
【発明が解決しようとする課題】
このため、本発明では、広い作業台の中央部でも刺繍外枠が傾かずに済み、自由に位置合わせを行うことができる、刺繍枠を提供することを目的とする。
【０００６】
【課題を解決するための手段】
このため、本発明は、刺繍内枠と刺繍外枠で刺繍布を保持するための刺繍枠であって、前記刺繍外枠は前記刺繍内枠との間で刺繍布を張設するための枠部と、該枠部と一体でミシンの刺繍枠駆動手段に連結されたキャリッジに装着するための取り付け部とを備え、該取り付け部には前記キャリッジに設けた穴部に係合して位置決めするための一対のガイドピンと、前記キャリッジの溝部に係合して、ばねの押圧力によりキャリッジに刺繍外枠を固定するための枠固定ピンとを備え、該取り付け部は、前記ガイドピンを前記刺繍外枠の下面より突出しないように上方に移動可能に装着している刺繍枠とすることで、課題を解決することができた。また本発明は、前記ガイドピンは常には前記ガイドピンに遊嵌しているバネの押圧により、前記刺繍外枠の下面より下方に突出している刺繍枠とすることで課題を解決することができた。なお、枠固定ピンは刺繍外枠の下面より上方に配置することで、課題を解決した。
【０００７】
【発明の実施の形態】
刺繍外枠の下面から突出するものを排除して、広い作業台のどこでも、刺繍布の取り付けを行えるようにするという目的を、刺繍ミシンの側のキャリッジとの取り付け状態を変えることなく実現した。
【０００８】
【実施例】
図１から図５は、本発明装置の１実施例であって、図１は刺繍外枠の平面図、図２は刺繍外枠の側面図、図３は取り付け部の平面図、図４は取り付け部の断面図、図５はガイドピンと枠固定ピンとを刺繍外枠の下面より上方に移動した説明図である。
【０００９】
図１において、刺繍外枠１は刺繍内枠との間で刺繍布を張設するための枠部１ａと、該枠部１ａと一体でキャリッジに装着するための取り付け部１ｂとが設けられている。
【００１０】
図３及び図４において、該取り付け部１ｂにはキャリッジに設けた穴部に係合して位置決めするための一対のガイドピン２と、キャリッジの溝部に係合して、ばね９の押圧力によりキャリッジに刺繍外枠１を固定するための枠固定ピン３とが設けられている。
【００１１】
ガイドピン２は取り付け部１ｂに上下動可能に嵌合しており、上端にはつば部２ａが設けられている。
【００１２】
取り付け部１ｂには溝穴１ｄが設けられており、ガイドピン２に遊嵌しているばね４をガイドする。更にガイドピン２にＥリング５が装着されており、ばね４はＥリング５と溝穴１ｄの底部との間に配置され、常にはＥリング５を下方となるように付勢している。従って、常には、ガイドピン２は下方に付勢されて、つば部２ａが取り付け部１ｂの上面に当接して位置決めされており、ガイドピン２の下端２ｂは取り付け部１ｂの下面１ｃより突出している。なお、Ｅリング５の外形は溝穴１ｄの内径より小径に形成されている。
【００１３】
枠固定ピン３は取り付け部１ｂに上下動可能に嵌合しており、上端には取り付けツマミ６が設けられている。該取り付けツマミ６にはばねをガイドするための、溝穴６ａが設けられており、枠固定ピン３にばね７が遊嵌している。更に枠固定ピン３に円板８が遊嵌しており、ばね７は円板８と溝穴６ａの底部との間に配置されている。なお、円板８の外形は溝穴６ａの内径より小径に形成されている。
【００１４】
９は枠固定ばねであって、枠固定ピン３に遊嵌しており、取り付け部１ｂと円板８との間に配置され、常には円板８を介してばね７とともに枠固定ピン３を上方に付勢している。枠固定ピン３の下端３ａは取り付け部１ｂの下面１ｃから突出しない。
【００１５】
次に本発明の刺繍布装着時の作用について説明する。図４で示す状態で、刺繍外枠１を平らな作業台の上で作業する場合について説明する。図４の状態で刺繍外枠１を上方から押し下げると、ガイドピン２のばね４が圧縮されてガイドピン２は上方に移動して、図５の如くとなる。これにより、刺繍外枠１の取り付け部１ｂの下面１ｃから突出するものはなくなり、平らな面のどこでも作業を行うことができるようになる。
【００１６】
このようにした刺繍外枠１の上に刺繍布を配置して、刺繍内枠との間で固定することで、刺繍布を装着する。
【００１７】
刺繍布を装着後、刺繍外枠１を作業台から取り上げると、ばね４の付勢により、ガイドピン２が刺繍外枠１の取り付け部１ｂの下面１ｃから突出して、図４の如くとなる。この状態で、一対のガイドピン２をキャリッジに設けた穴部に係合して位置決めし、枠固定ピン３をキャリッジの溝部に案内する。次にツマミ６を押し下げると、ばね７が圧縮されて枠固定ピン３が刺繍外枠１の取り付け部１ｂの下面１ｃから突出する。次に枠固定ばね９の付勢に抗してツマミ６を押し下げて、下げた位置で回転させて、キャリッジの溝部に係合させ、ツマミ６を開放することにより、枠固定ばね９の付勢により刺繍外枠１をキャリッジに保持させる。なお、枠固定ばね９の付勢により刺繍外枠１をキャリッジに保持させる構造については、先に述べた、実開平６−１２４９６号と同一であるので、説明は省略する。
【００１８】
【発明の効果】
以上説明したように本発明によれば、キャリッジに位置決めするための一対のガイドピンと、キャリッジに刺繍外枠を固定するための枠固定ピンとにより、簡単な操作で刺繍外枠をキャリッジに取り付けられるようにすると共に、ガイドピンを刺繍外枠の下面より上方に移動可能としたことにより、広い作業台の中央部でも刺繍外枠が傾かずに済み、自由に位置合わせを行うことができる。更にばねにより上方に移動可能としたことにより、刺繍布装着後は、ばねの付勢により、ガイドピンと枠固定ピンとが突出して、キャリッジに位置決めし、キャリッジに刺繍外枠を固定するために機能することができる。
【図面の簡単な説明】
【図１】本願発明の刺繍枠の平面図である。
【図２】本願発明の刺繍枠の側面図である。
【図３】本願発明の刺繍枠の固定装置の平面図である。
【図４】本願発明の刺繍枠の固定装置のＡ−Ａ断面図である。
【図５】本願発明の刺繍枠の固定装置の動作説明図である。
【図６】従来の刺繍枠の固定装置の説明図である。
【符号の説明】
１    刺繍外枠
１ａ  枠部
１ｂ  取り付け部
２    ガイドピン
３    枠固定ピン
４    ばね
５    Ｅリング
６    取り付けツマミ
７    ばね
８    Ｅリング
９    枠固定ばね
【図１】
0004812927.tif 000002
【図２】
0004812927.tif 000003
【図３】
0004812927.tif 000004
【図４】
0004812927.tif 000005
【図５】
0004812927.tif 000006
【図６】
0004812927.tif 000007